(57)【要約】【課題】好適な物質締結デバイスおよび関連締結部ならびに使用方法を提供すること。【解決手段】物質締結デバイスおよび関連締結部ならびに使用方法、より具体的には、保持機構から独立して露出され、かつ独立して物質に取り付けられるか、または物質に近接して配置されることが可能な締結部の部分を伴う、デバイス。本発明の一実施形態では、移動機構は、第２の部分が、保持機構に対して第１の部分と実質的に同一の角度で配置されるように、第２の部分を移動させる時に、０度を上回るが１８０度未満の角距離で第２の部分を移動または回転させる。【選択図】図１
2014208249.tif 000002
【特許請求の範囲】
【請求項１】
組織治療デバイスであって、
第１の要素、第２の要素、および該第１の要素を該第２の要素に接続する接続部を有する締結部と、
該第１の要素に対して該第２の要素を移動させるように構成される第１のバネと、
該締結部を解放可能に保持する管であって、該管の遠位端は、該第１の要素が、露出されるときに、該管の縦軸に対して第１の角度で配置されるように、そして、該第２の要素が、露出されるときに、該第１の要素と該第２の要素との間に組織が受容されないと、該第２の要素が該第１の角度と実質的に同一の第２の角度で配置される配備位置に向かって、該第１のバネによって移動させられるように、該第２の要素とは無関係に該第１の要素を露出させるように構成される、管と
を備え、該第１のバネは、該管の該遠位端から該第２の要素が露出されると、該第２の要素が該配備位置に向かって移動するように、該第２の要素を自動的に移動させるように構成される、デバイス。
【請求項２】
前記第１のバネは、前記管内に保持されるときの前記第２の要素の配向から、（ａ）０度〜１８０度、（ｂ）９０度、および（ｃ）少なくとも１８０度の角度のうちの１つの角距離を該第２の要素に移動させる、請求項１に記載のデバイス。
【請求項３】
前記管の前記遠位端から前記第１の要素が露出されると前記第１の角度まで該第１の要素を自動的に移動させるように構成される第２のバネをさらに備え、前記第１のバネおよび該第２のバネのうちの少なくとも１つは、半円形状であるバネである、請求項１−２のうちの一項に記載のデバイス。
【請求項４】
前記第１のバネおよび前記第２のバネの各々は、半円形状であるバネであり、前記接続部は、第１の溝および第２の溝を含み、該第１のバネは、該第１の溝内に少なくとも部分的に設置され、該第２のバネは、該第２の溝内に少なくとも部分的に設置される、請求項３に記載のデバイス。
【請求項５】
前記第２の要素、前記第１の要素は、それぞれ、前記第１のバネ、前記第２のバネからの連続として延在する、請求項３−４のうちの一項に記載のデバイス。
【請求項６】
前記管は、その中に複数の締結部を解放可能に保持し、該管は、前記第１のバネの前記配備位置への移動のときに、該複数の締結部のうちの少なくとも１つを自動的に解放するように構成される、請求項１−５のうちの一項に記載のデバイス。
【請求項７】
前記第１の要素および前記第２の要素のうちの片方または両方は、平坦なワイヤから作製される、請求項１−６のうちの一項に記載のデバイス。
【請求項８】
前記第１および第２の要素は、前記接続部と一体的に形成されるか、該接続部に機械的に連結されるかのうちの１つである、請求項１に記載のデバイス。
【請求項９】
組織把持デバイスであって、
細長い部材であって、その遠位端に形成される保持チャンバを含む、細長い部材と、
該保持チャンバ内に受容される第１の組織締結部であって、第１の接続部を介して相互に連結される第１の要素および第２の要素を含む、第１の組織締結部と、
該細長い部材を通ってその近位端まで延在する縦要素であって、該第１の組織締結部に解放可能に連結され、挿入構成から、該第１の要素が該保持チャンバから露出される一方で、該第２の要素がその中に受容されたままである第１の段階の配備位置まで、および該第２の要素が該保持チャンバから露出される第２の配備位置まで、該第１の組織締結部を遠位に移動させるように動作可能である、縦要素と、
該第１の要素と該第２の要素との間に設置される組織を担持するように該第１の要素と該第２の要素とを相互に向かって付勢する第１のバネであって、該第１のバネは、該第１の要素が該保持チャンバから露出され、該第２の要素がその中に保持されるときに、該第１の要素が、該保持チャンバの縦軸に対して第１の角度で、該保持チャンバから離れる方向に延在するように、そして、該第１の要素と該第２の要素との間に組織が受容されずに該第２の要素が該保持チャンバから露出されるときに、該第１および第２の要素の両方が、該保持チャンバの縦軸に対して該第１の角度で配置されるように、動作する、第１のバネと
を備える、デバイス。
【請求項１０】
前記第１のバネは、第１の要素標的位置に向かって前記第１の要素を回転させるように付勢される、該第１の要素と該第２の要素との間に接続され、前記デバイスは、第２の要素標的位置に向かって該第２の要素を回転させるように構成される第２のバネをさらに含む、請求項９に記載のデバイス。
【請求項１１】
前記第１の組織締結部の前記接続部は、第１の溝および第２の溝を含み、前記第１のバネは、該第１の溝内に少なくとも部分的に設置され、前記第２のバネは、該第２の溝内に少なくとも部分的に設置される、請求項１０に記載のデバイス。
【請求項１２】
前記保持チャンバ内に受容される第２の組織締結部であって、該第２の組織締結部は、第２の接続部を介して相互に連結される第３および第４の要素を含み、該第２の組織締結部は、挿入構成から、該第３の要素が該保持チャンバから露出される一方で、該第４の要素がその中に受容されたままである第１の段階の配備位置まで、および該第４の要素が該保持チャンバから露出される第２の配備位置までの遠位移動のために、該縦要素に解放可能に連結される、第２の組織締結部と、
該第３の要素と該第４の要素との間に設置される組織を担持するように該第３の要素と該第４の要素とを相互に向かって付勢する第３のバネであって、該第３のバネは、該第３の要素が該保持チャンバから露出され、該第４の要素がその中に保持されるときに、該第３の要素が、該保持チャンバの縦軸に対して第２の角度で該保持チャンバから離れる方向に延在し、該第３の要素と該第４の要素の間に組織が受容されずに該第４の要素が該保持チャンバから露出されるときに、該第３および第４の要素の両方が該第２の角度で配置されるように、動作する、第３のバネと
をさらに備える、請求項９に記載のデバイス。
【請求項１３】
前記第１の要素は、前記接続部と一体的に形成されるか、該接続部に機械的に連結されるかのうちの１つである、請求項９に記載のデバイス。
【請求項１４】
前記第１の角度を調整するための角度付け機構をさらに備える、請求項９に記載のデバイス。
【発明の詳細な説明】
【技術分野】
【０００１】
本願は、米国仮特許出願第６１／１３３，５９０号（２００８年７月１日出願）の利益を主張し、この出願の内容は、本明細書に参考として援用される。
【０００２】
（（１）発明の分野）
本発明は、物質締結、締付、またはステープル留めデバイス、および関連締結部、ならびに使用方法に関し、より具体的には、締結部の複数部分が、独立して組織に取り付けられるか、または組織に近接して配置されることを可能にする、切開−強打手術用ステープル留めまたは締付デバイスに関する。
【背景技術】
【０００３】
（（２）関連技術の記載）
管状部材内に保管されるステープルまたは他の締結デバイスが、物質、特に組織に締結するように、管状部材の遠隔端から押し出される、締結デバイスが作製されてきた（Ｎａｋａｏの特許文献１、Ｎａｋａｏらの特許文献２、Ｏｎｕｋｉらの特許文献３、Ｓｏｎｎｅｎｓｃｈｅｉｎらの特許文献４、Ｋｏｕｋｌｉｎｅの特許文献５、およびＹｅｕｎｇらの特許文献６）。
【０００４】
しかしながら、これらのデバイスは、締結部の２つの反対部分を用いて、組織を同時に露出し、同時に締結する。これは、２つの反対部分のそれぞれによる別々の露出および締結を可能にしない。結果として、他の部分の埋め込みまたは最終配置に備えて、組織を再配置するために、単一の組織埋め込み部分、または組織に接触している単一の部分が使用され得ない。さらに、第１の部分は、締結部が正しい位置で組織に取り付けられることを確実にするためのガイドとして使用され得ない。さらに、これらのデバイスは、デバイスの他の部分に対して種々の角度のいずれかで第１の部分を露出させ、締結プロセスを完了するために、種々の経路のいずれかで第２の部分を移動させる、種々の締結部で使用されるデバイスを提供しない。
【先行技術文献】
【特許文献】
【０００５】
【特許文献１】米国特許第７，１７５，６４８号明細書
【特許文献２】米国特許第５，２２２，９６１号明細書
【特許文献３】米国特許第７，０６３，７１５号明細書
【特許文献４】米国特許第６，８７２，２１４号明細書
【特許文献５】米国特許第５，７８２，３９７号明細書
【特許文献６】米国特許第６，６２６，９１６号明細書
【発明の概要】
【発明が解決しようとする課題】
【０００６】
したがって、締結部の２つの部分のそれぞれの独立した露出、埋め込み、または設置を提供し、部分設置および部分移動の上記の可撓性を伴うデバイスの使用を提供する、改善された物質締結、締付、またはステープル留めデバイス、および関連締結部、ならびに使用方法、より具体的には、切開−強打手術用ステープル留めデバイス、および締付もしくはステープル留めまたは他の使用のための使用方法の必要性がある。
【課題を解決するための手段】
【０００７】
本発明は、物質締付または物質強打デバイスに関し、より具体的には、（１）第１の部分／要素、第２の部分／要素、および第１の部分を第２の部分に接続する接続部を有する、締結部と、（２）第２の部分を移動させるための移動機構／手段と、（３）締結部を解放可能に保持するための保持機構／手段と、（４）第１の部分が、第２の部分とは無関係に露出機構によって露出される時に、保持機構／手段に対して第１の角度で配置されるように、第２の部分の露出とは無関係に、第１の部分を露出させ、第２の部分が、露出される時に、第２の部分が保持機構に対して第１の部分と実質的に同一の角度で配置されるように、移動機構によって移動させられるように、第２の部分を露出させるための、露出手段とを有する、物質締付または物質強打デバイスに関する。
【０００８】
本発明の別の実施形態では、移動機構は、第２の部分が、保持機構に対して第１の部分と実質的に同一の角度で配置されるように、第２の部分を移動させる時に、０度を上回るが１８０度未満の角距離で第２の部分を移動または回転させる。
【０００９】
本発明の異なる実施形態では、移動機構は、第２の部分が、保持機構に対して第１の部分と実質的に同一の角度で配置されるように、第２の部分を移動させる時に、１８０度を上回る角距離で第２の部分を移動させる。
【００１０】
本発明の異なる実施形態では、移動機構は、第２の部分が、保持機構に対して第１の部分と実質的に同一の角度で配置されるように、第２の部分を移動させる時に、１８０度に等しい角距離で第２の部分を移動させる。
【００１１】
一実施形態では、第１の角度は、１８０度未満である。関連実施形態では、第１の角度は、９０度に実質的に等しい。異なる実施形態では、第１の角度は、１８０度に実質的に等しい。
【００１２】
本発明のさらなる実施形態では、移動機構は、露出機構による第２の部分の露出時に、第２の部分が保持機構に対して第１の部分と実質的に同一の角度で配置されるように、第２の部分を自動的に移動させる。さらに別の実施形態では、露出機構による第１の部分の露出時に、保持機構に対して第１の角度まで、第１の部分を自動的に移動させるための第２の移動機構／手段がある。一実施形態では、移動機構および第２の移動機構のうちの少なくとも１つは、バネである。さらなる実施形態では、バネは、半円形状である。
【００１３】
別の実施形態では、移動機構および第２の移動機構のそれぞれは、半円形状のバネであり、接続部は、第１の溝および第２の溝を含有し、移動機構は、第１の溝内に少なくとも部分的に設置され、第２の移動機構は、第２の溝内に少なくとも部分的に設置される。
【００１４】
さらに別の実施形態では、第２の部分および第１の部分は、それぞれ、移動機構および第２の移動機構からの連続として延在する。
【００１５】
異なる実施形態では、保持機構はまた、第２の部分が保持機構に対して第１の部分と実質的に同一の角度で配置されると、締結部を自動的に解放するためのものである。
【００１６】
さらなる実施形態では、保持機構は、２つ以上の締結部を同時に解放可能に保持するためのものである。
【００１７】
他の実施形態では、第１の部分および第２の部分のうちの一方または両方は、平坦なワイヤから作製される。
【００１８】
別の実施形態では、移動機構は、バネであり、保持機構は、可撓性管状部材であり、露出機構は、管状部材内に配置され、かつ管状部材に対して移動可能である、可撓性ロッド状部材である。
【００１９】
さらに別の実施形態では、移動機構および第２の移動機構は、バネであり、保持機構は、可撓性管状部材であり、露出機構は、管状部材内に配置され、かつ管状部材に対して移動可能である、可撓性ロッド状部材である。
【００２０】
本発明の別の側面では、（１）第１の部分、第２の部分、および第１の部分を第２の部分に接続する接続部を有する、締結部と、（２）移動機構／手段と、（３）保持機構／手段と、（４）露出機構／手段と、を有する、物質締付または物質強打デバイスを使用するための方法があり、方法は、（１）第１の部分が保持機構に対して第１の角度で配置されるように、第２の部分を露出されないままにしておく一方で、第１の部分を露出機構で露出させるステップと、（２）第１の部分を物質の片側に配置するステップと、（３）第２の部分を露出機構で露出させるステップと、（４）第２の部分が保持機構に対して第１の部分と実質的に同一の角度で配置されるように、および物質の少なくとも一部が、第１の部分および第２の部分の間で固定されるように、第２の部分を移動機構で移動させるステップと、（５）保持機構から締結部を分離するステップとを伴う。
【００２１】
さらに別の側面では、それらの間に間隙を有する物質の第１の片および物質の第２の片を一緒に結合するために、（１）第１の部分、第２の部分、および第１の部分を第２の部分に接続する接続部を有する、締結部と、（２）移動機構／手段と、（３）保持機構／手段と、（４）露出機構／手段と、を有する、物質締付または物質強打デバイスを使用するための方法があり、方法は、（１）第１の部分が保持機構に対して第１の角度で配置されるように、第２の部分を露出されないままにしておく一方で、第１の部分を露出機構で露出させるステップと、（２）第１の部分の少なくとも一部を物質の第１の片に挿入するステップと、（３）第２の部分を露出機構で露出させるステップと、（４）第２の部分が保持機構に対して第１の部分と実質的に同一の角度で配置されるように、ならびに物質の第１の片の少なくとも一部および物質の第２の片の少なくとも一部が、第１の部分および第２の部分の間で圧縮されるように、第２の部分を移動機構で移動させるステップと、（５）保持機構から締結部を分離するステップとを伴う。
【００２２】
別の実施形態では、該方法は、第１の部分の少なくとも一部を物質の第１の片に挿入した後であるが、第２の部分を露出機構で露出させる前に、物質の第１の片の少なくとも一部を物質の第２の片の少なくとも一部により近く移動させるステップをさらに含む。
【００２３】
本発明の２つの側面のうちのいずれかのさらなる実施形態では、第２の部分を移動機構で移動させるステップは、第２の部分を露出機構で露出させる時に自動的に生じる。別の実施形態では、第１の部分は、第１の部分を露出機構で露出させる時に、自動的に、保持機構に対して第１の角度で配置される。
【００２４】
さらに別の実施形態では、これらの方法に関与する物質は、ヒトまたは動物組織である。一実施形態では、物質の第１および第２の片は、それぞれ、ヒトまたは動物組織である。
【００２５】
さらなる実施形態では、第１の部分および第２の部分の間で圧縮される、物質の第１の片の少なくとも一部および物質の第２の片の少なくとも一部は、接触している。
【００２６】
一実施形態では、第１の角度は、１８０度未満であり、第１の角度は、第１の部分の角度から保持機構の角度までの時計回りおよび反時計回りの角距離の最短として測定される。関連実施形態では、第１の角度は、９０度に実質的に等しい。異なる実施形態では、第１の角度は、１８０度に実質的に等しい。
【００２７】
さらなる実施形態では、移動機構は、第２の部分が、保持機構に対して第１の部分と実質的に同一の角度で配置されるように、第２の部分を移動させる時に、１８０度を上回る角距離で第２の部分を移動させる。別の実施形態では、この角距離は、１８０度であるが、さらに別の実施形態では、この距離は、０度を上回るが１８０度未満である。
【００２８】
さらなる実施形態では、保持機構は、複数の締結部を同時に保持し、該方法は、複数の締結部のうちの少なくとも２つを使用して、少なくとも２回実施される。
【００２９】
さらに別の実施形態では、移動機構は、バネであり、保持機構は、可撓性管状部材であり、露出機構は、管状部材内に配置され、かつ管状部材に対して移動可能である、可撓性ロッド状部材である。
【００３０】
本発明のさらに別の側面では、（１）第１の部分、第２の部分、および第１の部分を第２の部分に接続する接続部を有する、締結部と、（２）第１の部分を回転させるように構成される、第１の半円形バネと、（３）第２の部分を回転させるように構成される、第２の半円形バネと、（４）締結部を解放可能に保持するように構成される、保持機構／手段と、（５）第１の部分が、第２の部分とは無関係に露出機構によって露出される時に、第１の半円形バネによって回転させられるように、第２の部分の露出とは無関係に、第１の部分を露出させるように構成され、かつ第２の部分が、露出される時に、第２の半円形バネによって回転させられるように、第２の部分を露出させるように構成される、露出機構／手段と、を有する、物質締付、物質強打、または物質ステープル留めデバイスがある。一実施形態では、接続部は、第１の溝および第２の溝を含有し、第１の半円形バネは、第１の溝内に少なくとも部分的に設置され、第２の半円形バネは、第２の溝内に少なくとも部分的に設置される。別の実施形態では、第１の部分および第２の部分は、それぞれ、第１の半円形バネおよび第２の半円形バネからの連続として延在する。さらに別の実施形態では、保持機構は、２つ以上の締結部を同時に解放可能に保持するように構成される。
【００３１】
別の実施形態では、保持機構は、可撓性管状部材であり、露出機構は、管状部材内に配置され、かつ管状部材に対して移動可能である、可撓性ロッド状部材である。
【００３２】
別の実施形態では、該方法は、少なくとも部分的に胃腸管内で実施される。さらに別の実施形態では、該方法は、露出されていない締結部の少なくとも一部を回転させるステップをさらに含む。一実施形態では、回転は、保持機構の近接端から保持機構の遠隔端に延在する軸の周囲で生じる。
【００３３】
方法およびデバイスの上記の実施形態の別の実施形態では、締結部は、少なくとも部分的に金属、合金、プラスチック、またはポリマーで作製される。さらなる実施形態では、第１の部分は、第２の部分と一体である。他の実施形態では、第１の部分は、第２の部分とは別々である。
【００３４】
別の実施形態では、該デバイスは、保持機構に対して第１の部分の角度を調整するための角度付け機構をさらに含む。さらなる実施形態では、該方法は、第１の部分を露出させた後であるが、第２の部分を露出させる前に、角度付け機構を用いて、保持機構に対して第１の部分の角度を調整するステップをさらに伴う。
本明細書は、例えば、以下の項目も提供する。
（項目１）
組織治療デバイスであって、
第１の要素、第２の要素、および該第１の要素を該第２の要素に接続する接続部を有する締結部と、
該第２の要素を移動させるように構成される移動手段と、
該締結部を解放可能に保持するように構成される保持手段と、
該第１の要素が、該第２の要素とは無関係に露出手段によって露出されると、該保持手段の縦軸に対して第１の角度で配置されるように、該第２の要素の露出とは無関係に、該第１の要素を露出させるように構成され、該第２の要素が、露出されるときに、該第１の要素と第２の要素との間に組織が受容されないと、該第２の要素が該保持手段に対して該第１の要素と実質的に同一の角度で配置される、配備位置に向かって、該移動手段によって移動させられるように、該第２の要素を露出させるように構成される、露出手段と
を備える、デバイス。
（項目２）
前記移動手段は、前記第２の要素が、前記保持手段に対して前記第１の要素と実質的に同一の角度で配置されるように、該第２の要素を移動させるときに、該保持手段内に保持されるときの該第２の要素の配向から、０度を上回るが１８０度未満の角距離を該第２の要素に移動させる、項目１に記載のデバイス。
（項目３）
前記移動手段は、前記第２の要素が、前記保持手段に対して前記第１の要素と実質的に同一の角度で配置されるように、該第２の要素を移動させるときに、該保持手段内に保持されるときの該第２の要素の配向から、１８０度を上回る角距離を該第２の要素に移動させる、項目１に記載のデバイス。
（項目４）
前記移動手段は、前記第２の要素が、前記保持手段に対して前記第１の要素と実質的に同一の角度で配置されるように、該第２の要素を移動させるときに、該保持手段内に保持されるときの該第２の要素の配向から、１８０度に等しい角距離を該第２の要素に移動させる、項目１に記載のデバイス。
（項目５）
前記第１の角度は、１８０度未満である、項目１−４のうちのいずれか一項に記載のデバイス。
（項目６）
前記第１の角度は、９０度に実質的に等しい、項目５に記載のデバイス。
（項目７）
前記第１の角度は、１８０度に実質的に等しい、項目１−４のうちのいずれか一項に記載のデバイス。
（項目８）
前記移動手段は、前記第２の要素が、前記保持手段の前記縦軸に対して前記第１の要素と実質的に同一の角度で配置される位置に向かって移動するように、前記露出手段による該第２の要素の前記露出時に、該第２の要素を自動的に移動させるように構成される、項目１−７のうちのいずれか一項に記載のデバイス。
（項目９）
前記露出手段による前記第１の要素の前記露出時に、前記保持手段の前記縦軸に対して前記第１の角度まで該第１の要素を自動的に移動させるように構成される、第２の移動手段をさらに備える、項目１−８のうちのいずれか一項に記載のデバイス。
（項目１０）
前記移動手段および前記第２の移動手段のうちの少なくとも１つは、バネである、項目９に記載のデバイス。
（項目１１）
前記バネは、半円形状である、項目１０に記載のデバイス。
（項目１２）
前記移動手段および前記第２の移動手段の各々は、半円形状であるバネであり、前記接続部は、第１の溝および第２の溝を含有し、該移動手段は、該第１の溝内に少なくとも部分的に設置され、該第２の移動手段は、該第２の溝内に少なくとも部分的に設置される、項目９に記載のデバイス。
（項目１３）
前記第２の要素および前記第１の要素は、各々、前記移動手段および前記第２の移動手段からの連続として延在する、項目９−１２のうちのいずれか一項に記載のデバイス。
（項目１４）
前記保持手段は、前記第２の要素が、前記保持手段に対して前記第１の要素と実質的に同一の角度で配置されると、前記締結部を自動的に解放するように構成される、項目１−１３のうちのいずれか一項に記載のデバイス。
（項目１５）
前記保持手段は、その中に複数の締結部を解放可能に保持する、項目１−１４のうちのいずれか一項に記載のデバイス。
（項目１６）
前記第１の要素および前記第２の要素のうちの正確に１つは、平坦なワイヤから作製される、項目１−１５のうちのいずれか一項に記載のデバイス。
（項目１７）
前記第１の要素および前記第２の要素の各々は、平坦なワイヤから作製される、項目１−１５のうちのいずれか一項に記載のデバイス。
（項目１８）
前記第１および第２の要素ならびに前記接続部は、単一要素として一体的に形成される、項目１に記載のデバイス。
（項目１９）
前記第１の要素は、前記接続部に機械的に連結される第１の部材として形成される、項目１に記載のデバイス。
（項目２０）
前記第１の要素は、前記接続部に機械的に連結される第２の部材として形成される、項目１９に記載のデバイス。
（項目２１）
把持するための方法であって、
細長い要素であって、その遠位端に形成される保持チャンバを含む、細長い要素を、生体内の標的部位に挿入することであって、第１の組織把持デバイスは、該保持チャンバ内に受容されている、ことと、
該保持チャンバ内に該第１の組織把持デバイス第２の要素を維持しながら、該保持チャンバから該第１の組織把持デバイスの第１の要素を露出させることと、
把持される組織の第１の標的部に対して第１の要素標的位置へと、該保持チャンバの縦軸に対して第１の角度で配置される配備位置まで該第１の要素を移動させることであって、該第１の要素標的位置にあるときに、該第１の要素は、該組織の第１の標的部に貫通させられるか、およびその外面に隣接するかのうちの１つである、ことと、
該保持チャンバから該第２の要素を露出させることと、
該第１の要素に向かって該第２の要素を回転させることであって、それにより、それらの間の組織の少なくとも該第１の標的部を固定し、該第２の要素が、該第１の要素と第２の要素との間に組織が受容されない場合、該第２の要素が、該保持チャンバの該縦軸に対して該第１の要素と実質的に同一の角度で、該保持チャンバから延在するように動作する付勢部材によって、組織の少なくとも該第１の標的部を固定するように回転させられる、ことと、
該細長い要素から該第１の組織把持デバイスを分離することと
を含む、方法。
（項目２２）
前記第１の要素標的位置にあるとき、前記第１の要素は、前記組織の第１の標的部を貫通し、組織の第２の標的部に向かって該組織の第１の標的部を移動させるように、該組織の第１の標的部を貫通した後に、該第１の要素を移動させることをさらに含み、該第１の要素に向かって回転させられるときに、該第２の要素は、該組織の第１の標的部に対して該組織の第２の標的部を圧迫するように、該組織の第２の標的部に隣接する、項目２１に記載の方法。
（項目２３）
前記第２の要素は、前記保持チャンバからの露出時に、前記第１の要素に向かって該第２の要素を回転させるように付勢される前記付勢部材によって、該第１の要素に連結される、項目２１に記載の方法。
（項目２４）
前記第１の要素は、前記露出手段を用いた該第１の要素の前記露出時に、前記保持手段に対して前記第１の角度に向かって、自動的に移動させられる、項目２１に記載の方法。（項目２５）
前記第１の角度は、１８０度未満である、項目２１に記載の方法。
（項目２６）
前記第１の角度は、９０度に実質的に等しい、項目２５に記載の方法。
（項目２７）
前記第１の角度は、１８０度に実質的に等しい、項目２１に記載の方法。
（項目２８）
前記配備位置に向かって回転している前記第２の要素は、１８０度を上回って回転する、項目２１に記載の方法。
（項目２９）
前記配備位置に向かって回転している前記第２の要素は、０度を上回るが１８０度未満で回転する、項目２８に記載の方法。
（項目３０）
前記配備位置に向かって回転している前記第２の要素は、約１８０度で回転する、項目２１に記載の方法。
（項目３１）
前記保持チャンバは、第２の組織把持デバイスを保持し、
前記細長い要素を前記生体内の第２の標的部位に移動させるステップと、
該保持チャンバ内に該第２の組織把持デバイスの前記第２の要素を維持しながら、該保持チャンバから該第２の組織把持デバイスの第１の要素を露出させるステップと、
把持される組織の第３の標的部に対して第１の要素標的位置へと、該保持チャンバの縦軸に対して第２の角度で配置される配備位置に該第２の組織把持デバイスの該第１の要素を移動させるステップであって、該第１の要素標的位置にあるときに、該第２の組織把持デバイスの該第１の要素は、該組織の第３の標的部に貫通させられるか、およびその外面に隣接するかのうちの１つである、ステップと、
該保持チャンバから該第２の組織把持デバイスの該第２の要素を露出させるステップと、
該第２の組織把持デバイスの該第１の要素に向かって、該第２の組織把持デバイスの該第２の要素を回転させるステップであって、それにより、それらの間に該組織の少なくとも第３の標的部を固定し、該第２の組織把持デバイスの該第２の要素は、該第２の組織把持デバイスの該第１の要素と第２の要素との間に組織が受容されない場合、その該第２の要素が、該保持チャンバの該縦軸に対して該第２の組織把持デバイスの該第１の要素と実質的に同一の角度で、該保持チャンバから延在する配備位置に向かって、該第２の組織把持デバイスの該第２の要素を押し進める付勢配設を介して、その該第１の要素に連結される、ステップと、
該細長い要素から該第２の組織把持デバイスを分離するステップと
をさらに含む、項目２１に記載の方法。
（項目３２）
組織把持デバイスであって、
細長い部材であって、その遠位端に形成される保持チャンバを含む、細長い部材と、
該保持チャンバ内に受容される第１の組織締結部であって、接続部を介して相互に連結される第１の要素および第２の要素を含む、第１の組織締結部と、
該細長い部材を通ってその近位端まで延在する縦要素であって、該第１の組織締結部に解放可能に連結され、挿入構成から、該第１の要素が該保持チャンバから露出される一方で、該第２の要素がその中に受容されたままである第１の段階の配備位置まで、および該第１の組織締結部の該第２の要素が該保持チャンバから露出される第２の配備位置まで、該第１の組織締結部を遠位に移動させるように動作可能である、縦要素と、
第１の要素と第２の要素とを相互に向かって付勢する第１の付勢配設であって、該第１の付勢配設は、それらの間に設置される組織を把持するように、該第１の要素が該保持チャンバから露出され、該第２の要素がその中に保持されるときに、該第１の要素が、該保持チャンバの縦軸に対して第１の角度で、該保持チャンバから離れる方向に延在するように動作し、該第１の要素と第２の要素との間に組織が受容されない場合、該第１および第２の要素の両方が、該保持チャンバの縦軸に対して該第１の角度で配置されるように、該第２の要素が該保持チャンバから露出されるときに動作する、第１の付勢配設と
を備える、デバイス。
（項目３３）
前記第１の付勢配設は、第１の要素標的位置に向かって前記第１の要素を回転させるように付勢される、該第１の要素と第２の要素との間に接続される第１のバネと、第２の要素標的位置に向かって該第２の要素を回転させるように構成される第２のバネとを含む、項目３２に記載のデバイス。
（項目３４）
前記第１の組織締結部の前記接続部は、第１の溝および第２の溝を含有し、前記第１のバネは、該第１の溝内に少なくとも部分的に設置され、前記第２のバネは、該第２の溝内に少なくとも部分的に設置される、項目３３に記載のデバイス。
（項目３５）
前記保持チャンバ内に受容される第２の組織締結部であって、該第２の組織締結部は、接続部を介して相互に連結される第１および第２の要素を含み、該第２の組織締結部は、挿入構成から、その該第１の要素が該保持チャンバから露出される一方で、該第２の組織締結部の該第２の要素がその中に受容されたままである第１の段階の配備位置まで、および該第２の組織締結部の該第２の要素が該保持チャンバから露出される、第２の配備位置までの遠位移動のために、該縦要素に解放可能に連結される、第２の組織締結部と、
該第２の組織締結部の第１の要素と第２の要素とを相互に向かって付勢する第２の付勢配設であって、それにより、それらの間に設置される組織を把持し、該第２の付勢配設は、該第２の組織締結部の該第１の要素が該保持チャンバから露出され、該第２の要素がその中に保持されるときに、該第２の組織締結部の該第１の要素が、該保持チャンバの縦軸に対して第２の角度で該保持チャンバから離れる方向に延在するように動作し、該第１の要素と第２の要素の間に組織が受容されない場合、該第２の組織締結部の該第１および第２の要素の両方が、該保持チャンバの縦軸に対して該第２の角度で配置されるように、該第２の組織締結部の該第２の要素が該保持チャンバから露出されるときに動作する、第２の付勢配設と
をさらに備える、項目３２に記載のデバイス。
（項目３６）
前記第１の組織締結部の前記第１の要素は、前記接続部と一体的に形成される、項目３２に記載のデバイス。
（項目３７）
第１の要素は、前記接続部に機械的に連結される、別個の部材として形成される、項目３２に記載のデバイス。
（項目３８）
前記第１の角度を調整するための角度付け機構をさらに備える、項目３２に記載のデバイス。
【図面の簡単な説明】
【００３５】
【図１】図１は、本発明の一実施形態を使用する方法のステップ１−４を示し、管状部材１４２が、より容易な視認のために断面図として示される。
【図２】図２は、本発明の異なる実施形態を使用する方法のステップ１−４を示し、管状部材が、より容易な視認のために断面図として示される。
【図３】図３は、本発明のさらに別の実施形態を使用する方法のステップ１−４を示し、管状部材が、より容易な視認のために断面図として示される。
【図４】図４は、本発明の一実施形態に従った、ステープル状締結部のいくつかの部分を示す。
【図５】図５Ａは、本発明の一実施形態に従った、弛緩位置にある完全なステープル状の締結部の上面図であり、完全なステープル状の締結部は、とりわけ、図４の部分を含む。図５Ｂは、図５Ａの完全なステープル状の締結部の正面図であり、ロッド４４６は、この正面図から省略されている。
【図６】図６は、本発明の一実施形態の側面図であり、複数の締結部が、個々に使用可能および解放可能であり、管状部材が、より容易な視認のために断面図として示される。
【図７】図７は、図１に示す本発明の一実施形態の方法の予備ステップ０を示し、管状部材１４２が、より容易な視認のために断面図として示される。
【図８】図８は、本発明の実施形態およびその使用方法における角度付け機構／手段の説明図である。
【発明を実施するための形態】
【００３６】
本発明は、物質締結、締付、またはステープル留めデバイス、および関連締結部、ならびに使用方法に関し、より具体的には、切開−強打手術用ステープル留めデバイス、および使用方法、特に、図１−３に例示するような、物質１６０、２６２、２６４、３６０に独立して取り付けられるか、またはそれらに近接して配置されることが可能な、締結部１０２、２０２、３０２、４０２、６０２の部分１１０、１２０、２１０、２２０、３１０、３２０、４１０、４２０、６１０、６２０を有する、デバイスに関する。
【００３７】
本発明の一実施形態およびその使用方法を図１に示す。管１４２または他の延在デバイスは、細長く、可撓性であり、かつ管状であり、操作可能であるために十分小さい外径、および中空内部を有する。可撓性は、管１４２がヒトまたは動物の身体の管腔に沿って延在することを可能にするようなもの、すなわち、内視鏡等のデバイスの可撓性である。管は、プラスチック等の任意の適切な材料から作製され得る。管１４２は、近接端および遠隔端を有し、遠隔端は、図１の頂部付近にある端部であり、管１４２は、これらの端部の間に延在する。管１４２は、可撓性を有し、したがって使用中に湾曲し得るが、どのように管が湾曲し得ても、該管に沿って移動し得る、近接端から遠隔端まで延在する方向が、「順方向」と称されるものとする一方で、遠隔端から近接端まで延在する方向は、「逆方向」と称されるものとする。近接端は、デバイスを保持および制御するために、またはデバイスを保持および制御することを可能にする、ハンドルもしくは他の要素への取り付けのために使用される。デバイスが患者内の組織に使用される医療処置の間、管１４２は、最初に遠隔端が患者に挿入され得る。医療処置は、該方法が少なくとも部分的に胃腸管内で実施されるように実施され得る。
【００３８】
管１４２はまた、その側壁のうちの１つの中に、以下に記載するように、そうでなければ必要とされ得るような締結部１０２の順方向移動を必要とすることなく、第２の部分１２０の露出を可能にする、間隙１４４を含有する。
【００３９】
管１４２内に配置される、図１に示すようなロッド１４６も同様に、細長く、可撓性であり、かつ管状である。この場合もやはり、可撓性は、管１４２がヒトまたは動物の身体の管腔に沿って延在することを可能にするようなもの、すなわち、内視鏡等のデバイスの可撓性である。それもまた、プラスチックから作製され得る。ロッド１４６が中空内部の一部のみを占めるので、それは、さらに順方向に挿入されるか、または逆方向に引き戻されることによって、管１４２に対して移動し得る。この順方向または逆方向移動は、ロッド１４６への力の直接的な印加によって生じ得る。しかしながら、順方向または逆方向移動はまた、プランジャ等の、ロッドへの取り付けに対する力の印加によっても生じ得る。
【００４０】
締結部１０２は、第１の部分１１０および第２の部分１２０、第１の部分１１０から延在するフック状突起１１４、ならびに第１の部分１１０と第２の部分１２０とを相互に接続する接続部１３０を有する。締結部１０２およびその個々の構成要素は、金属、合金、もしくはプラスチック等の任意の適切な生物分解不可能な材料、またはポリ乳酸樹脂、ポリコール（ｐｏｌｙｃｏｌｉｃ）樹脂、もしくは他のポリマー等の生物分解可能な材料から作製され得る。図１に示す実施形態では、第１の部分１１０は、管１４２の内部にあると同時に、管１４２の右壁に沿って順方向に延在し、一方で、第２の部分１２０は、管１４２の左壁に沿って逆方向に延在する。部分が順方向または逆方向に延在するかどうかにかかわらず、もしある場合は、逆方向の延在の長さ、ならびに管１４２内の間隙１４４の存在および長さは全て、部分１１０、１２０のそれぞれを露出させるために必要な締結部１０２の順方向の延在の大きさに影響を及ぼす。したがって、本発明は、図に示すこれらの要因の特定の組み合わせに限定されないが、これらの要因のいかなる組み合わせも包含することが理解される。特に、例えば、ユーザがより良好な精度を可能にする時に、速い操作の必要性が大きい時に、および偶発的な露出がわずかである時に、第１の部分１１０および第２の部分１２０を露出させるために必要な締結部１０２の順方向の延在の差を小さくするように、および場合によっては、それらの逆が事実の場合は、差を大きくするように、これらの要因を選択するべきであろう。
【００４１】
接続機構１３０は、図１中、その移動機構１２２によって、第１の部分１１０および第２の部分１２０の両方に接続される環状物体として示される。図１の接続機構１３０はまた、ロッド１４６と解放可能に接続する。しかしながら、他の接続機構も、第１の部分を第２の部分に直接的または間接的に接続する限り、可能である。１つの代替接続機構４３０を図５Ａおよび５Ｂに示す。同様の機能を活用する、この代替接続機構または異なる代替接続機構は、本発明によって考慮される実施形態のいずれかで使用可能であると考えられる。代替接続機構４３０は、第１の溝４３７、第２の溝４３８、および移動機構４１２、４２２の直線部分が挿入され、これらの移動機構４１２、４２２を適所に保持する穴４３６を含有する。第１の部分４１０が、その移動機構４１２を介して第１の溝４０７内に部分的に設置される一方で、第２の部分４２０は、その移動機構４２２を介して第２の溝４０８内に部分的に設置される。図４−５Ｂに示す移動機構４１２、４２２は、半円形バネであるため、折り畳まれていない部分４１０、４２０を折り畳むことによって、移動機構４１２、４２２内にポテンシャルエネルギーを蓄積し、この蓄積されたポテンシャルエネルギーを使用して、部分４１０、４２０を折り畳まれていない時のそれらの元の位置に回転させて戻す。図１中、ポテンシャルエネルギーは、同様に、第２の部分１２０の移動機構１２２内に蓄積される。
【００４２】
接続機構１３０、２３０、３３０、４３０の使用、部分１１０、１２０、２１０、２２０、３１０、３２０、４１０、４２０の異なる配向、および複数の部分の折り畳みの異なる度合いによって、該デバイスが、一旦複数の部分が露出され、それによってもはや移動が管１４２、２４２、３４２の側壁によって防止されなくなると、ロッド１４６、２４６、３４６および管１４２、２４２、３４２に対して任意の角度で、複数の部分を設置するように構成されてもよいことが、上記および図から理解される。同様に、複数の部分が、時計回りの回転または相補的な反時計回りの回転によって、これらの角度位置まで移動するように構成されてもよいことが理解されるであろう。図１中、例えば、第１の部分１１０が、露出後に回転を受けず、管１４２に対して１８０度の角度１５２で設置されるように示される一方で、第２の部分１２０は、管１４２に対して第１の部分１１０と同一の角度位置まで、時計回りに１８０度の全角距離１５４で回転するように示される。したがって、開始構成に応じて、保持管１４２に対して第１の部分１１０と実質的に同一の角度で到達する際に、第２の部分１２０が、時計回りまたは反時計回りに、９０度、１８０度、および２７０度を非限定的な例とする任意の度数で回転し得ることが理解される。動作中に第２の部分１１０によって移動させられる実際の角距離は、物質１６０のその経路における存在およびサイズによって決まる。そのような物質１６０が存在しない場合、第２の部分１２０は、該構成を所与として、可能な限り遠い角距離で移動する。しかしながら、物質１６０が存在する場合、物質の厚さに応じて、第２の部分１２０によって移動させられる角距離は、物質１６０によって提供される抵抗によって小さくなり得る。
【００４３】
図１中、物質１６０が存在する。締結部１０２は、ステップ２に示すように、ロッド１４６によって順方向に押され、第１の部分１１０を露出させる。第１の部分１１０は、ステップ３に示すように、物質１６０の片側と接触して設置される。この位置付けは、近接端におけるロッド１４６または管１４２を操作することによって達成され得る。締結部のさらなる順方向移動は、第２の部分１２０を露出させ、それは、ステップ４に示すように停止し、物質１６０を圧縮するまで、移動機構１２２によって上記のように回転させられる。締結部１０２は、ロッド１４６から解放される。これは、スクリューのような方法で接続機構１３０、４３０に螺入されている場合がある、ロッド１４６、４４６を回転させることによる等の手動、または移動機構１２２、２２２、３１２、３２２、４１２、４２２内の蓄積されたポテンシャルエネルギーの損失によって、ロッド１４６、２４６、３４６上の移動機構の把持力を緩めることによる等の自動のいずれかで、生じることができる。しかしながら、例えば、解放可能な輪およびフック、脆弱な輪、締結部との係合から抜け出るために、張力を受けて真っ直ぐにされ得るフック、鉗子状の捕捉器具、または任意の他の既知の配列を含む、機械的連結等、ロッドの手動または自動解放の他の方法が使用されてもよい。
【００４４】
この方法は、物質１６０を効果的に締め付ける。これは、物質１６０が、この方法で締め付けられることによって、患者にとって利益になり得る、血管、靱帯、胆管、卵巣管、大きな裂傷、または潰瘍等のヒトまたは動物組織である時に、医学的に有用である。
【００４５】
第１の部分１１０のフック状突起１１４は、有利なことに、物質１６０が締結部１０２から抜け出ることを防止し、かつ他の物質が第１の部分１１０と第２の部分１２０との間で意図的でなく捕捉されることを防止する。
【００４６】
図１に示す方法に対する予備ステップ０を図７に示す。図７のステップ０は、図１のステップ１の位置に達するように、図１のステップ１の位置とは異なる初期の位置から回転させられる、ロッド１４６および締結部１０２を示す。これは、例えば、近接端においてロッド１４６を把持するか、またはロッド１４６に取り付け、ロッド１４６および締結部１０２を回転させるために、トルクをロッド１４６に直接、または取り付けによって印加することによって、達成され得る。この回転は、物質１０６により容易または効果的に取り付けられるように、締結部１０２を設置するために有用である。しかしながら、締結部１０２のこの回転がまた、第１の部分１１０が露出された後に、または第１の部分が物質１６０に近接して配置された後に生じることもできることは、本発明の範囲内であると理解されるであろう。
【００４７】
本発明の別の実施形態およびその使用方法を図２に示す。図２に示す実施形態およびその使用方法は、図２に示すものと概して同様である。本明細書に述べられる変化を除いて、図２の参照番号は１００だけ大きいが、図１に関する説明は、図２に示す実施形態に適用できる。図１に示すデバイスの実施形態のフック状突起１１４の代わりに、図２に示すデバイスの実施形態の第１の部分２１０は、物質に挿入可能であるように構成される、鋭い突起２１４を有する。図２はまた、図１の物質１６０の代わりに、物質の２つの片２６２、２６４を示し、該物質の２つの片２６２、２６４は、それらの間に間隙を有する。図２のステップ２は、露出されている第１の部分２１０、および物質の第１の片２６２に挿入されている第１の部分２１０の鋭い部分２１４を示す。
【００４８】
次いで、ステップ３において、物質の第１の片２６２の少なくとも一部は、物質の第２の片２６４の少なくとも一部により近く移動させられ、物質の２つの片２６２、２６４は、それらが相互に接触するように設置される。ステップ４において、第２の部分２２０は露出され、それが移動機構２２２によって回転させられるにつれて、物質の第２の片２６４を圧迫し、物質の第２の片２６４の少なくとも一部および物質の第１の片２６２の少なくとも一部は、第２の部分２２０が、管２４２に対して第１の部分と実質的に同一の角度２５２で配置される場合に、第１の部分２１０と第２の部分２２０との間で圧縮される。本明細書内で使用される「実質的に同一の角度」は、２０度以下の広い範囲、１０度以下の好ましい範囲、および７度以下の最も好ましい範囲のうちの１つの角度の差を指す。選択される特定の範囲は、締結部が動作する物質の厚さに対応する。角度の差は、最低０度であり得る。このようにして、間隙は閉じられる。これは、大きな傷口を密閉する際に、非限定的な実施例として医学的に有用である。
【００４９】
図３は、本発明のさらなる実施形態およびその使用方法を示す。本明細書に別段の言及がない場合、これらの同様の機能の参照番号は２００だけ大きいが、図３の機能は、図１の機能と同様に機能するものとして示される。図３の実施形態は、締結部３０２が、ステップ２およびステップ３に示すように、異なる角度で、および異なる回転運動によって、第１の部分３１０および第２の部分３２０を配備するように構成されるという点で、図１の実施形態とは異なる。ロッド３４６と締結部３０２との間の接続部位３４８をステップ１に示す。ステップ２に示すように、露出後、第１の部分３１０は、時計回りに約９０度だけ回転し、管３４２に対して９０度の角度３５２に達するように構成される。ステップ３に示すように、露出後、第２の部分３２０は、反時計回りに９０度の全角距離３５４だけ回転し、同様に管３４２に対して９０度の角度３５２に達するように構成される。
【００５０】
ステップ２に示すように、第１の部分３１０を露出および回転させた後であるが、第２の部分３２０を露出および回転させる前に、第１の部分３１０は、物質３６０の片側、特に物質の順方向側に設置される。次いで、物質３６０は、ステップ３に示すように、第２の部分も露出および回転させられると、第１の部分３１０と第２の部分３２０との間で圧縮される。この方法は、内視鏡手術等、管３４２の挿入方向が限定される場合に特に有用であり、管３４２は、締結部３０２の部分３１０、３２０が延在しなければならない方向に対して基本的に垂直な方向に挿入されなければならない。
【００５１】
図３は、物質３６０を圧縮する部分３１０、３２０の断面Ａ−Ａを示し、部分３１０、３２０は、高さよりも有意に大きい幅を有するものとして示される。本発明のこの側面は、少なくとも、締め付け圧が物質３６０のより大きい表面積にわたって分散されることを可能にし、物質３６０へのより確実な締め付けおよびより少ない損傷を提供する限りにおいて有益であり得る。この側面は、非限定的な実施例として、平坦なワイヤから部分１１０、１２０、２１０、２２０、３１０、３２０、４１０、４２０、６１０、６２０、または複数の部分のうちの少なくとも１つを形成することによって、実施形態のいずれかにおいて達成され得る。しかしながら、本発明の複数の部分はまた、上記のような別の好適な物質から、または異なる高さ：幅の比で、形成されてもよいことが理解されるであろう。
【００５２】
図４は、半円形バネ４１２、４２２、および部分４１０、４２０の延在方向からほぼ垂直に延在するフック４１４、４２４を伴う、本発明に従った部分４１０、４２０の一実施形態を示す。図５Ａおよび５Ｂは、それぞれ、図４の部分４１０、４２０を使用した締結部の上面図および正面図を示し、５Ａはまた、締結部の接続部４３０に挿入されるロッド４４６の上面図も示す。上記のように、この締結部を他の実施形態に示す締結部の代わりに使用することができる。図５Ｂに示すように、静止した、折り畳まれていない状態で、第１の部分４１０は、接続部４３０から、第１の部分４２０とはほぼ反対方向に延在する。したがって、示される他の実施形態とは異なり、部分４１０、４２０の両方が、示される他の実施形態における使用中に露出される時に、部分４１０、４２０は、管に対して異なる角度になる。これらの特徴は、ステープラとしての機能を可能にし、露出されていない第２のフック４２４からの障害なしで、第１のフック４１４が物質の第１の片に挿入され得、次いで、第２の部分４２０が露出され得、次いで、第２のフック４２４が物質の第２の片に挿入され得る。物質の第１の片はまた、第２の部分４２０および第２のフック４２４の挿入後、露出前、または露出後に、第１のフック４１４を用いて移動させられてもよい。
【００５３】
図６に示す本発明のさらに別の実施形態では、複数の締結部６０２が、管６４２内に保管されている。それぞれは、その接続部６３０によって、管６４２内に開示されるロッド６４６に分離可能に接続される。これは、締結部を再装填するための、または内視鏡医療処置において、患者から管６４２を除去するための時間をとる必要なく、複数の締結部６０２が使用されることを可能にする。締結部６０２は、本明細書の段落に考察されるデバイスおよび方法の使用によって、個々に分離されてもよい。
【００５４】
図８に示す本発明のさらなる実施形態およびその使用方法において、管に対する第１の部分８１０の角度を種々の角度のいずれかに調整するための、角度付け機構／手段８７０が存在する。角度付け機構は、例えば、管８４２の外部または内部上の、可撓性プラスチックまたは他の可撓性材料であってもよいが、管８４６に対する第１の部分８１０の角度を調整する他の手段も使用され得る。ステップ３に示すように、この角度は、第１の部分８１０が物質８６０と同一方向に延在するように、角度付け機構８７０からの圧力によって、１０度だけ調整される。しかしながら、この角度は、代わりに、この変更を必要とするいかなる目的に対しても、任意の他の度数に調整され得る。ステップ４に示すように、ロッド８４６、管８４２、および角度付け機構８７０は、締結部８０２から除去され、その第２の部分８２０は、第１の部分８１０と実質的に同一の角度まで回転し、物質８６０を第１の部分８１０と第２の部分８２０との間で圧縮させられるようにする。
【００５５】
別の実施形態では、第２の部分が露出された後、または第２の部分が移動機構によって移動させられた後に、再配置機構／手段が、締結部を再配置してもよい。非限定的な実施例として、角度付け機構８７０と同様または同一のデバイスが、この目的で使用されてもよい。
【００５６】
前述の説明は、当業者が本発明を製造および使用すること、およびそれを特定の用途との関連で組み込むことを可能にするために提示される。種々の非ステープル締結部の使用、および異なる用途における種々の使用等の種々の修正は、当業者に容易に明らかとなり、本明細書に定義する一般的原理は、幅広い実施形態に適用され得る。したがって、本発明は、提示される実施形態に限定されることを目的とせず、本明細書に開示する原理および新規の特徴と一致する最も広い適用範囲が与えられるべきである。
【図１】
2014208249.tif 000003
【図２】
2014208249.tif 000004
【図３】
2014208249.tif 000005
【図７】
2014208249.tif 000006
【図８】
2014208249.tif 000007
【図４】
2014208249.tif 000008
【図５】
2014208249.tif 000009
【図６】
2014208249.tif 000010